(57)【要約】【課題】  良好なメンテナンス性、据付性を保ちながらドラフト感をなくし、騒音を低減すると共に、大風量を実現することができる天井カセット形室内機を有する空気調和装置を提供する。【解決手段】  空気調和装置の室内機を構成するユニット１を天井カセット形として天井内に装着し、室内機用熱交換器４と、吸込み、吹き出し用の送風機５と、吸込口２に配設されるフィルタ３とを上記ユニット１に収容した天井カセット形空気調和装置において、天井内における上記ユニット１の側面に吸込口２を形成すると共に、天井面の近傍に位置する上記ユニットの下面に装着された化粧パネル６に下方に向けて吹き出す吹出口７を形成した構成とする。【選択図】        図１
2006138575.tif 000002
【特許請求の範囲】
【請求項１】
空気調和装置の室内機を構成するユニットを天井カセット形として天井内に装着し、室内機用熱交換器と、吸込み、吹き出し用の送風機と、吸込口に配設されるフィルタとを上記ユニットに収容した天井カセット形空気調和装置において、天井内における上記ユニットの側面に吸込口を形成すると共に、天井面の近傍に位置する上記ユニットの下面に装着された化粧パネルに下方に向けて吹き出す吹出口を形成したことを特徴とする空気調和装置。
【請求項２】
上記化粧パネルに吹出口形成パネルを設け、上記吹出口形成パネルの位置または形状を選択することにより、あるいは上記吹出口形成パネルを移動可能とすることにより、吹出口の位置または吹き出し方向を選択的に設定し得るようにしたことを特徴とする請求項１記載の空気調和装置。
【請求項３】
上記フィルタを上記ユニットの吸込口に対応した位置に配設すると共に、上記化粧パネルにフィルタのメンテナンス口を設け、上記メンテナンス口を介して上記フィルタを上下方向に挿脱し得るようにしたことを特徴とする請求項１記載の空気調和装置。
【請求項４】
上記吹出口形成パネルが上下方向に移動し得るように構成したことを特徴とする請求項２記載の空気調和装置。
【発明の詳細な説明】
【技術分野】
【０００１】
この発明は空気調和装置、特に天井カセット形室内機を有する空気調和装置に関するものである。
【背景技術】
【０００２】
従来の空気調和装置における天井カセット形室内機は、室内機用熱交換器と、吸込み、吹き出し用の送風機と、吸込口に配設されたフィルタとを収容したユニットを天井内に装着し、ユニット下面に装着され天井面に設置される化粧パネルの中央部に形成された吸込口から室内空気を吸込み、送風機から室内機用熱交換器を通過した後、再び化粧パネル面に送風され、上記吸込口の外側に形成された吹出口から室内に吹き出される構造とされている。（例えば特許文献１参照）。
【０００３】
【特許文献１】特開２００２−２４３１８９号公報
【発明の開示】
【発明が解決しようとする課題】
【０００４】
従来の空気調和装置における天井カセット形室内機は上記のように構成されているため、メンテナンスに際しては天井の下側から化粧パネルの吸込口を含む中央部を取り外し、作業者がその部分からユニット内へ顔を覗き込ませる形で保守、点検を行なっていた。
【０００５】
メンテナンスが容易にできる他、直吸込み、直吹き出しであるためダクト工事の必要がなく、据付性の良さも特徴になっているが、当たりたくない風に当たってしまうドラフト感が大きいことに加えて騒音及び機内抵抗が大きいなどの問題点があった。
【０００６】
この発明は、上記のような問題点を解消するためになされたもので、天井カセット形の特徴である良好なメンテナンス性、据付性を保ちながらドラフト感をなくし、騒音を低減すると共に、大風量を実現することができる天井カセット形室内機を有する空気調和装置を提供することを目的とする。
【課題を解決するための手段】
【０００７】
この発明に係る空気調和装置は、空気調和装置の室内機を構成するユニットを天井カセット形として天井内に装着し、室内機用熱交換器と、吸込み、吹き出し用の送風機と、吸込口に配設されるフィルタとを上記ユニットに収容した天井カセット形空気調和装置において、天井内における上記ユニットの側面に吸込口を形成すると共に、天井面の近傍に位置する上記ユニットの下面に装着された化粧パネルに下方に向けて吹き出す吹出口を形成したものである。
【発明の効果】
【０００８】
この発明に係る空気調和装置は上記のように構成され、天井内に吸込口を配置しているため、機内抵抗を低減すると共に、騒音を低減し、大風量とすることができる。
また、吹出口形成パネルの位置や形状を選択できるようにし、吹出口形成パネルを移動可能としたために、ユニットの設置個所や用途に適した吹き出し方向あるいは化粧パネルの意匠の選択が可能となり、快適性及び意匠性を追求することが容易となる。
【０００９】
更に、丸形パネルを選択した場合は吹き出し方向の自由度を高くすることができる。
更にまた、化粧パネル上にフィルタのメンテナンス口を設け、フィルタを上下方向に挿脱できるようにしたため、化粧パネルを取り外すことなくフィルタのメンテナンスを行なうことが可能となる。
【００１０】
また、吹出口形成パネルを上下方向に移動できるような構成としたため、移動の程度により、吹き出し停止、水平吹き出し、下方向吹き出しと変化させることが可能となり、吹き出し方向の調整による快適性の追求と、停止時に吹出口をフラットにすることによる意匠性の向上も図ることができる。
【発明を実施するための最良の形態】
【００１１】
実施の形態１．
以下、この発明の実施の形態１を図にもとづいて説明する。図１は、この発明の実施の形態１の室内機の構成を示す概略図である。
この図に示すように、実施の形態１は室内機のユニット１を天井カセット形として構成し、設置状態では天井内に位置する側面に吸込口２を形成すると共に、この吸込口２の外側にフィルタ３を配設し、内側に室内機用熱交換器４を配設し、矢印Ａで示すように、ユニット１の周面から空気を吸い込むようにしている。
【００１２】
ユニット１の上面から見た形状がほぼ四角形とされる場合には、吸込口２は四角形の各辺に形成し、四角形以外の形状とされる場合には、適宜の間隔で吸込口２を形成することにより、ほぼ全周から大量の空気を吸い込むことができる。
【００１３】
ユニット１内にはファン５を配設し、矢印Ｂで示すように、ユニットの周面から吸い込んだ空気をユニット１の下方に向けて吹き出すようにされている。
この実施の形態ではファン５はターボファンとして図示しているが、ターボファン以外の斜流ファン、プロペラファン、シロッコファン、ラインフローファンなど、他の方式のファンも使用可能である。
ユニット１の下面にはユニット１の天井設置時にほぼ天井面２０に装着される化粧パネル６が設けられ、この化粧パネル６には吹出口７を形成する吹出口形成パネル８が配設され、ファン５からの吹き出し空気を矢印Ｃで示すように、下向きで周方向に吹き出すようにされている。
【００１４】
なお、化粧パネル６には、フィルタ３の下部に相当する個所にフィルタのメンテナンス口を設け、メンテナンス時にはフィルタ３をメンテナンス口を介して下方に引き出し、また、メンテナンス口を介して下方から上方へ押し込むことにより、吸込口の所定の位置にセットすることができるようにされている。詳細は後述する。
【００１５】
実施の形態１は上述のように、天井カセット形室内機ユニットの周面から吸い込み、下方に吹き出す風路構造としているため、天井カセット形の特徴であるメンテナンス性や据付性の良さを保ちながら、大風量で低騒音、ドラフト感のない快適な空気調和装置を得ることができる。
【００１６】
実施の形態２．
次に、この発明の実施の形態２を図にもとづいて説明する。実施の形態２は、化粧パネル６に配設する吹出口形成パネルの形状や位置を選択し、あるいは吹出口形成パネルを固定式にするか、可動式にするかを選択することにより、吹出口の位置や吹き出し方向を選択的に設定することができるようにしたものである。
【００１７】
図２は、化粧パネル６を下方から見た状態を示す概略図である。いずれも吹出口形成パネル８を四角形の板状とした例を示すもので、（ａ）は１個所の長方形状吹出口７を形成するように、四角形で横幅の広い吹出口形成パネル８を化粧パネル６に装着した例を示す。
【００１８】
また、（ｂ）は吹出口形成パネル８の横幅を（ａ）の場合より狭くすることにより、吹出口形成パネル８の両側にそれぞれ１個所、合計２個所の長方形状吹出口７を形成した例を示すものである。吹出口７は単なる開口として下向きに吹き出す形としてもよいし、各吹出口７に適宜のベーン（図示せず）を設けて吹き出し方向を横方向等に調整するようにしてもよい。
【００１９】
図３は、ユニット１を側面から見た状態を示す概略図で、吹出口形成パネル８は円形の板状とした例を示すものである。吹出口形成パネル８の内面中央部に取付部８１を設けると共に、取付部８１に吊り棒あるいはチェーン８２を取り付け、図示しない適宜の駆動装置によって例えば吊り棒８２を上下させたり、チェーン８２を巻き上げ、巻き下げできるように構成されている。
【００２０】
図３（ａ）は、例えば吊り棒８２を上昇させて吹出口形成パネル８を化粧パネル６の下面に密着させ、吹出口７を閉塞した状態を示している。この状態は空気調和装置の運転停止時におけるもので、化粧パネル６と吹出口形成パネル８とがフラット状態となり、吹出口７も見えなくなるため、意匠的にも優れたものとなる。吊り棒８２の上昇は空気調和装置の運転停止スイッチと連動させることもできる。
【００２１】
図３（ｂ）は、吊り棒８２を少し下降させ、化粧パネル６と吹出口形成パネル８との間に通常の吹出口７を形成した状態を示している。この場合は、矢印Ｄで示すように、ユニット１から全周に向けて横方向に吹き出される。
【００２２】
図３（ｃ）は、吊り棒８２を更に下降させ、化粧パネル６と吹出口形成パネル８との間に十分大きな吹出口７を形成した状態を示している。この場合は、矢印Ｅで示すように、ユニット１から全周に向けて下方向に吹き出される。
【００２３】
図４は、図３の吹き出し方向を見やすくするため、化粧パネル６を斜め下方から見た状態を示す概略図で、図３の（ａ）（ｂ）（ｃ）に対応する状態をそれぞれ（ａ）（ｂ）（ｃ）に示している。
【００２４】
図５は、吹出口形成パネル８を例えば円形の板状とし、しかも吹き出し方向を全周の場合を含めて特定方向に絞るための構成を説明する概略図で、吹出口形成パネルを下方から見た状態を示している。また、図中の矢印は特定された吹き出し方向を示す。
【００２５】
図５（ａ）は、１方向吹き出しに限定するもので、この場合には、特定の吹き出し方向以外への吹き出しを止めるために、図示のような形状で吹出口７を閉塞可能な高さ寸法を有するアタッチメント９を例えば吹出口形成パネル８の内面に予め装着し、矢印方向にのみ吹き出すようにする。
【００２６】
図５（ｂ）は、２方向吹き出しに限定するもので、この場合には、図示のような形状で吹出口７を閉塞可能な高さ寸法を有するアタッチメント９１、９２を吹出口形成パネル８の内面に予め装着することで矢印方向のみへの吹き出しを可能とする。
【００２７】
図５（ｃ）は、３方向吹き出しに限定するもので、アタッチメントの図示を省略しているが、矢印と矢印の間の３個所に上述と同様なアタッチメントを装着して矢印で示す３方向のみへの吹き出しを実現する。
【００２８】
図５（ｄ）は、４方向吹き出しに限定するもので、各矢印の間の４個所に図示しないアタッチメントを同様に装着して矢印で示す４方向のみへの吹き出しを可能とする。
図５（ｅ）は、全周への吹き出しを行なうもので、この場合には、アタッチメントを装着しない。
【００２９】
図５（ｆ）は、２方向吹き出しであるが各方向への吹き出しの幅を広げたもので、アタッチメントの装着は（ｂ）に準ずる。図５（ｇ）は、３方向吹き出しであるが各方向への吹き出しの幅を広げ、１８０度の吹き出しを行なうもので、アタッチメントは図の下半分に装着する。
【００３０】
図５（ｈ）は、３方向吹き出しであるが各方向への吹き出しの幅を更に広げたもので、矢印を示していない図の下方の一部にアタッチメントを装着するものである。
【００３１】
上述のように、吹出口形成パネル８の形状や、化粧パネルへの装着位置を選択することにより、吹出口７の数や位置を調整することができる。アタッチメント９、９１、９２の装着は吹出口形成パネル８の形状の調整に相当する。また、吹出口形成パネル８の上下方向の調整及び水平方向の傾きの調整を行なうことにより、吹出口７の閉塞を含めて吹き出し方向の制御を行なうことができる。
【００３２】
実施の形態３．
次に、この発明の実施の形態３を図にもとづいて説明する。実施の形態３はフィルタの装着構造に関するものである。
図６は、実施の形態３の概略構成を示す斜視図である。この形態ではユニット１の上面から見た形状をほぼ四角形とした例を示している。
【００３３】
この図において、図１と同一または相当部分には同一符号を付して説明を省略する。
図１と異なる点は、化粧パネル６のフィルタ３の下部に相当する個所にフィルタのメンテナンス口１０を設け、メンテナンス時には矢印Ｆで示すように、メンテナンス口１０を介して化粧パネル６の下方からフィルタ３を下方に引き出せるように、また、メンテナンス口１０を介して下方からフィルタ３を上方へ押し込み、所定のフィルタ設置位置にセットすることができるようにした点である。
【００３４】
このような構成とすることにより、化粧パネル６を取り外すことなく、フィルタ３のメンテナンスを行なうことができ、作業が容易となるものである。
【図面の簡単な説明】
【００３５】
【図１】この発明の実施の形態１の室内機の構成を示す概略図である。
【図２】この発明の実施の形態２の構成を示すもので、化粧パネルを下方から見た状態を示す概略図である。
【図３】ユニットを側面から見た状態を示す概略図である。
【図４】化粧パネルを斜め下方から見た状態を示す概略図である。
【図５】吹出口形成パネルを円形の板状とし、特定方向に吹き出す構成を説明する概略説明図である。
【図６】この発明の実施の形態３の概略構成を示す斜視図である。
【符号の説明】
【００３６】
１  ユニット、  ２  吸込口、  ３  フィルタ、  ４  室内機用熱交換器、
５  送風機、  ６  化粧パネル、  ７  吹出口、  ８  吹出口形成パネル、
９、９１、９２  アタッチメント、  １０メンテナンス口。
【図１】
2006138575.tif 000003
【図２】
2006138575.tif 000004
【図３】
2006138575.tif 000005
【図４】
2006138575.tif 000006
【図５】
2006138575.tif 000007
【図６】
2006138575.tif 000008